(57)【要約】【課題】送受信を行うデータサイズや速度に応じて、最適な伝送形態で送受信を行うことができる送信装置、受信装置、送受信システム、送信方法、受信方法、画像データ送信装置、画像データ受信装置を提供する。【解決手段】送信機１は動画像データを均等に複数に分割し、動画像データの入力のバスクロックに応じてスイッチ切替制御部１２３が切り替えるスイッチ機構１２２により異なる伝送ライン１２１を介して伝送する。そして、動画像データのバスクロックに応じた数の光電変換器６０１〜６１０をオンにし、動画像データのビットレートに応じた伝送速度で１つまたは複数のケーブル３を使用して伝送する。【選択図】図２
2010016418.tif 000002
【特許請求の範囲】
【請求項１】
データの入力を受け付けるデータ入力部と、
複数の伝送経路を有する伝送経路部と、
前記伝送経路部を介して伝送された前記データを送信する送信部と、
を有し、
前記データ入力部は、入力されたデータを所定数に分割するデータ分割部と、データ入力時のバスクロックをカウントするカウント部と、を有し、
前記伝送経路部は、前記カウント部がカウントしたカウント結果に基づいて、前記データ分割部によって分割されたデータの伝送経路を決定する
送信装置。
【請求項２】
前記伝送経路部は、
前記複数の伝送経路を形成し、前記分割されたデータを伝送する複数の伝送ラインと、
２つ以上の入力のうちのいずれか、或いは、２つ以上の出力のうちのいずれかを切り替え可能であり、前記伝送ラインと接続されたスイッチと、
前記カウント結果に基づいて、前記スイッチを切り替えて前記複数の伝送経路のうちのいずれか１つの経路を前記伝送ラインと前記スイッチとにより構成するスイッチ切替制御部と、
を有する請求項１に記載の送信装置。
【請求項３】
前記カウント部は、前記バスクロックをレジスタでカウントするＰＬＬ回路を有する
請求項２に記載の送信装置。
【請求項４】
前記送信部は、前記複数の伝送経路に接続された複数の出力部と、前記カウント結果に基づいてオンする出力部を決定する出力制御部とを有する
請求項２に記載の送信装置。
【請求項５】
分割されたデータを受信する受信部と、
複数の伝送経路を有する伝送経路部と、
前記伝送経路部を介して伝送された前記分割されたデータを合成して出力する合成部と、
を有し、
前記受信部は、複数の受信経路に接続され、
前記伝送経路部は、前記複数の受信経路のいずれにより前記データを受信したかに応じて前記受信したデータの伝送経路を決定する
受信装置。
【請求項６】
前記伝送経路部は、
前記受信したデータを伝送する複数の伝送ラインと、
２つ以上の入力のうちのいずれか、或いは、２つ以上の出力のうちのいずれかを切り替え可能であり、前記伝送ラインと接続されたスイッチと、
前記複数の受信経路のいずれにより前記データを受信したかに応じて、前記スイッチを切り替えて前記複数の伝送経路のうちのいずれか１つの経路を前記伝送ラインと前記スイッチとにより構成するスイッチ切替制御部と、
を有する請求項５に記載の受信装置。
【請求項７】
データの入力を受け付け、当該データを分割して送信する送信機と、
前記送信装置により分割されて送信された前記データを受信し、合成して元のデータを出力する受信機と、
を有し、
前記送信機は、入力されたデータを所定数に分割するデータ分割部と、データ入力時のバスクロックをカウントするカウント部と、を有する前記データ入力部と、複数の第１の伝送経路を有し、前記カウント部がカウントしたカウント結果に基づいて、前記データ分割部によって分割されたデータの伝送経路を決定する第１の伝送経路部と、前記第１の伝送経路部を介して伝送された前記データを送信する送信部と、を有し、
前記受信機は、前記送信部が送信した前記分割されたデータを複数の受信経路から受信する受信部と、複数の第２の伝送経路を有し、前記複数の受信経路のいずれにより前記データを受信したかに応じて前記受信したデータの伝送経路を決定する第２の伝送経路部と、前記第２の伝送経路部を介して伝送された前記分割されたデータを合成して出力する合成部と、を有する
送受信システム。
【請求項８】
データの入力を受け付け、所定数に分割する第１の工程と、
前記データ入力時のバスクロックをカウントする第２の工程と、
複数の伝送経路を有する伝送経路部において、前記第２の工程においてカウントされたバスクロックのカウント結果に応じて前記伝送経路のいずれかを選択する第３の工程と、
前記第３の工程において選択された伝送経路を介して伝送された、前記分割されたデータを複数の送信経路のいずれかを介して送信する第４の工程と、
を有する送信方法。
【請求項９】
複数の受信経路のいずれかを介して、分割されたデータを受信する第１の工程と、
前記複数の受信経路のうちのいずれを介してデータを受信したかを判別する第２の工程と、
複数の伝送経路を有する伝送経路部において、前記第２の工程において判別された、前記複数の受信経路のうちデータを受信した受信経路に応じて前記伝送経路のいずれかを選択する第３の工程と、
前記第３の工程において選択された前記伝送経路を介して伝送された、前記分割されたデータを合成する第４の工程と、
を有する受信方法。
【請求項１０】
画像データの入力を受け付け、入力された画像データのビットレートに応じて所定数に分割するとともに、前記画像データ入力時のバスクロックをカウントするデータ入力部と、
所定数に分割された画像データのそれぞれを伝送する複数の伝送ラインを有し、前記複数の伝送ラインにおいて複数の伝送経路のうちの１つを前記データ入力部がカウントした前記バスクロックのカウント結果に応じて選択する伝送経路部と、
前記伝送経路部において選択された伝送経路を介して伝送された、前記所定数に分割された画像データを、複数の送信経路のうちの当該伝送経路に応じた送信経路を介して送信する送信部と、
を有する画像データ送信装置。
【請求項１１】
所定の画像データ送信装置に複数の受信経路を介して接続され、当該受信経路のうちのいずれかを介して送信された、分割された画像データを受信する受信部と、
前記受信経路に応じた複数の伝送経路を有し、前記画像データを受信した受信経路に応じて前記複数の伝送経路のうちのいずれかを選択する伝送経路部と、
前記伝送経路部を介して伝送された前記画像データを合成して出力する合成部と、
を有する画像データ受信装置。
【発明の詳細な説明】
【技術分野】
【０００１】
本発明は、画像データを伝送する送信装置、受信装置、送受信システム、送信方法、受信方法、画像データ送信装置、画像データ受信装置に関する。
【背景技術】
【０００２】
近年では、動画像の高画質化・高解像度化が進んでおり、これに伴い動画像データが大容量化している。
放送やネットワークによる配信、或いはパッケージ販売などの形態での動画像データの頒布においては、動画像データはほぼ圧縮されているため、既存の送受信装置や光ファイバー等の通信インフラにより動画像データの送信を行うことができた。
【発明の開示】
【発明が解決しようとする課題】
【０００３】
しかし、動画像データの作成現場レベルでは、ＳＤＤＩ（Serial Digital Data Interface）方式で機器間伝送を行う場合が多い。ＳＤＤＩとは、ＳＤＩ（Serial Digital Interface）方式の改良方式であり、圧縮符号化されていない非圧縮映像・音声データを、伝送用パケットを用いて、データ速度２７０Ｍｂｐｓシリアル形式のデータとして放送局の機器間で伝送する方式である。
このような伝送方式で扱われる動画像データのデータ量は、今後も増大する一方であると考えられるため、従来の送受信装置では伝送速度が不足し、送受信を行うことができない、という不利益があった。
【０００４】
また、従来の送受信装置では、装置によって速度やレーン数が決まっていたため、多様なデータサイズを有するデータ類を送受信するためには、複数の送受信装置が必要であった。したがって、データサイズがばらばらである複数の動画像データの送受信を行うような場合には、従来の送受信装置を利用できない、という不利益があった。
【０００５】
上述した不利益を解消するために、送受信を行うデータサイズや速度に応じて、最適な伝送形態で送受信を行うことができる送信装置、受信装置、送受信システム、送信方法、受信方法、画像データ送信装置、画像データ受信装置を提供することを目的とする。
【課題を解決するための手段】
【０００６】
上記した不利益を解消するために、第１の発明の送信装置は、データの入力を受け付けるデータ入力部と、複数の伝送経路を有する伝送経路部と、前記伝送経路部を介して伝送された前記データを送信する送信部と、を有し、前記データ入力部は、入力されたデータを所定数に分割するデータ分割部と、データ入力時のバスクロックをカウントするカウント部と、を有し、前記伝送経路部は、前記カウント部がカウントしたカウント結果に基づいて、前記データ分割部によって分割されたデータの伝送経路を決定する。
【０００７】
第２の発明の受信装置は、分割されたデータを受信する受信部と、複数の伝送経路を有する伝送経路部と、前記伝送経路部を介して伝送された前記分割されたデータを合成して出力する合成部と、を有し、前記受信部は、複数の受信経路に接続され、前記伝送経路部は、前記複数の受信経路のいずれにより前記データを受信したかに応じて前記受信したデータの伝送経路を決定する。
【０００８】
第３の発明の送受信システムは、データの入力を受け付け、当該データを分割して送信する送信機と、前記送信装置により分割されて送信された前記データを受信し、合成して元のデータを出力する受信機と、を有し、前記送信機は、入力されたデータを所定数に分割するデータ分割部と、データ入力時のバスクロックをカウントするカウント部と、を有する前記データ入力部と、複数の第１の伝送経路を有し、前記カウント部がカウントしたカウント結果に基づいて、前記データ分割部によって分割されたデータの伝送経路を決定する第１の伝送経路部と、前記第１の伝送経路部を介して伝送された前記データを送信する送信部と、を有し、前記受信機は、前記送信部が送信した前記分割されたデータを複数の受信経路から受信する受信部と、複数の第２の伝送経路を有し、前記複数の受信経路のいずれにより前記データを受信したかに応じて前記受信したデータの伝送経路を決定する第２の伝送経路部と、前記第２の伝送経路部を介して伝送された前記分割されたデータを合成して出力する合成部と、を有する。
【０００９】
第４の発明の送信方法は、データの入力を受け付け、所定数に分割する第１の工程と、前記データ入力時のバスクロックをカウントする第２の工程と、複数の伝送経路を有する伝送経路部において、前記第２の工程においてカウントされたバスクロックのカウント結果に応じて前記伝送経路のいずれかを選択する第３の工程と、前記第３の工程において選択された伝送経路を介して伝送された、前記分割されたデータを複数の送信経路のいずれかを介して送信する第４の工程と、を有する。
【００１０】
第５の発明の受信方法は、複数の受信経路のいずれかを介して、分割されたデータを受信する第１の工程と、前記複数の受信経路のうちのいずれを介してデータを受信したかを判別する第２の工程と、複数の伝送経路を有する伝送経路部において、前記第２の工程において判別された、前記複数の受信経路のうちデータを受信した受信経路に応じて前記伝送経路のいずれかを選択する第３の工程と、前記第３の工程において選択された前記伝送経路を介して伝送された、前記分割されたデータを合成する第４の工程と、を有する。
【００１１】
第６の発明の画像データ送信装置は、画像データの入力を受け付け、入力された画像データのビットレートに応じて所定数に分割するとともに、前記画像データ入力時のバスクロックをカウントするデータ入力部と、所定数に分割された画像データのそれぞれを伝送する複数の伝送ラインを有し、前記複数の伝送ラインにおいて複数の伝送経路のうちの１つを前記データ入力部がカウントした前記バスクロックのカウント結果に応じて選択する伝送経路部と、前記伝送経路部において選択された伝送経路を介して伝送された、前記所定数に分割された画像データを、複数の送信経路のうちの当該伝送経路に応じた送信経路を介して送信する送信部と、を有する。
【００１２】
第７の発明の画像データ受信装置は、所定の画像データ送信装置に複数の受信経路を介して接続され、当該受信経路のうちのいずれかを介して送信された、分割された画像データを受信する受信部と、前記受信経路に応じた複数の伝送経路を有し、前記画像データを受信した受信経路に応じて前記複数の伝送経路のうちのいずれかを選択する伝送経路部と、前記伝送経路部を介して伝送された前記画像データを合成して出力する合成部と、を有する。
【発明の効果】
【００１３】
本発明は送受信を行うデータサイズや速度に応じて、最適な伝送形態で送受信を行うことができる送信装置、受信装置、送受信システム、送信方法、受信方法、画像データ送信装置、画像データ受信装置を提供することを目的とする。
【発明を実施するための最良の形態】
【００１４】
以下、本発明の実施形態について説明する。
図１は、本実施形態の送受信装置１００の構成の一例を示したブロック図である。
図１に示すように、本実施形態の送受信装置１００は、送信機１（本発明の送信装置及び送信機に対応）と受信機２（本発明の受信装置及び受信機に対応）、これらを接続するケーブル３（本発明の送信経路、受信経路に対応）を有する。
送信機１が、多様なデータ容量を有する動画像データなどを取得し、受信機２へと送信し、受信機２がこれを受信する。ケーブル３は例えば光ファイバーで構成された伝送線であり、高速なデータ通信が可能になっている。
【００１５】
以下、本実施形態の送信機１の構成について説明する。
図２は、送信機１の構成の一例を示したブロック図である。
図２に示すように、送信機１は、画像入力部１１（本発明のデータ入力部に対応）、伝送経路部１２（本発明の伝送経路部或いは第１の伝送経路部に対応）、送信部１３（本発明の送信部に対応）を有する。
画像入力部１１は、ビットレート判別部１１１、データ分割部１１２（本発明のデータ分割部に対応）、データ出力部１１３、ＰＬＬ回路１１４（本発明のカウント部及びＰＬＬ回路に対応）を有する。
ビットレート判別部１１１は、送信機１に対して入力された動画像データのビットレートを判別する。
データ分割部１１２は、入力された動画像データを所定の数（本実施形態では８個）の同一サイズに分割する。
データ出力部１１３は、データ分割部１１２が分割した画像データを出力するための、分割されたデータと同数の出力端子である。
ＰＬＬ（Phase-locked loop）回路１１４は、画像データ入力のバスクロックをカウントするとともに、バスクロックを基にシステムクロックを生成して出力する。
【００１６】
次に、伝送経路部１２は、複数の伝送ライン１２１と、複数個のスイッチ機構１２２と、スイッチ切替制御部１２３とを有する。
伝送ライン１２１は、データを伝送するためのラインである。伝送ライン１２１は、画像入力部１１において複数の分割された画像データが出力されるデータ出力部１１３にそれぞれ接続されている。
伝送ライン１２１は、図２に示すように、複数のスイッチ機構１２２によって信号の伝達経路が選択可能であるように配設されている。
スイッチ機構１２２は、スイッチ切替制御部１２３の制御により切り替えられて、所定のレーン数へと分割するための伝送経路を伝送ライン１２１により形成するスイッチである。
スイッチ切替制御部１２３は、ＰＬＬ回路１１４がバスクロックをカウントした結果を基に、伝送ライン１２１上で画像データを伝達するための伝送経路を決定し、当該伝送経路に画像データを伝送させるようにスイッチ機構１２２の切替を制御する。
【００１７】
送信部１３は、複数の光電変換部１３１と、光電変換制御部１３２とを有する。
光電変換部１３１は、複数の光電変換器６０１〜６１０を有する。それぞれの光電変換器６０１〜６１０は、伝送ライン１２１にそれぞれ接続されており、それぞれの伝送ライン１２１を通る電気信号を光信号へと変換し、光ファイバーで構成されたケーブル３へと送信する。
光電変換制御部１３２は、ＰＬＬ回路１１４がバスクロックをカウントした結果を基に、１０個の光電変換器６０１〜６１０のうち使用するもののみ電源を入れ、使用しないものの電源を切る。
ケーブル３は、本実施形態では１０本用意されており、そのうちの８本は例えば１０Ｇｂｐｓの伝送速度を有し、残り２本は２．５Ｇｂｐｓの伝送速度を有する光ファイバー等の回線である。
本実施形態の送信機１は、上述した構成により、入力された画像データのビットレートに応じて、画像データを適切に分割し、適切な伝送経路で送信することができる。
【００１８】
次に、本実施形態の受信機２の構成について説明する。
図３は、受信機２の構成の一例を示したブロック図である。
図３に示すように、受信機２は、受信部２１（本発明の受信部に対応）、伝送経路部２２（本発明の伝送経路部或いは第２の伝送経路部に対応）、画像合成部２３（本発明の合成部に対応）を有する。
【００１９】
受信部２１は、光電変換部２１１と、受信判別部２１２を有する。
光電変換部２１１は、ケーブル３を介して送信機１から送信された光信号を電気信号に変換する複数の光電変換器７０１〜７１０を有する。光電変換器７０１〜７１０の数１０個は、本実施形態においては送信機１の光電変換部１３１の光電変換器６０１〜６１０の数１０個と同数である。
受信判別部２１２は、ケーブル３を介して動画像データを受信したのが光電変換器７０１〜７１０のいずれであるか、及び、その伝送速度を判別する。送信機１から送信される動画像データは、上述したように、複数のケーブル３の全てを通って伝送されるわけではないので、このような判別を行うことが必要になる。
【００２０】
伝送経路部２２は、複数の伝送ライン２２１（本発明の伝送ラインに対応）と、複数個のスイッチ機構２２２（本発明のスイッチに対応）と、スイッチ切替制御部２２３（本発明のスイッチ切替制御部に対応）とを有する。
伝送ライン２２１は、データを伝送するためのラインである。複数の伝送ライン２２１は、受信部２１の光電変換部２１１のそれぞれに接続され、光電変換部２１１が変換した電気信号を伝送する。
スイッチ機構２２２は、スイッチ切替制御部２２３の制御により切り替えられて、送信機１によって所定のレーン数に分割された画像データを結合してもとの画像データに戻すための伝送経路を伝送ライン２２１により形成するスイッチである。
スイッチ切替制御部２２３は、ケーブル３を通じて画像データを受信したとき、どの光電変換部２１１によって受信を行ったかに従い、スイッチの切り替えを制御する。
【００２１】
画像合成部２３は、送信機１により分割され、スイッチ機構２２２により複数の伝送ラインを通過して取得された画像データを１つの画像データに合成して出力する。
本実施形態の受信機２は、上述した構成により、送信機１により分割された画像データを好適に元の画像データに復元・合成することができる。
【００２２】
図４は、本実施形態において送信機１から受信機２へと送信される動画像データの例を示した図である。
本発明の送受信装置１００においては、例えば、図４に示すように、２種類の解像度（２ｋ１ｋ、４ｋ２ｋ）、４種類のフレーム周波数（３０ｐ、６０ｐ、１２０ｐ、２４０ｐ（例えば３０ｐは秒間３０フレームのプログレッシブ画像を意味する））、RGB各色（もしくはＹＣＣ各要素）のビット数が３種類（８ｂｉｔ、１０ｂｉｔ、１２ｂｉｔ）の組み合わせにより、２４通りのビットレートを有する動画像データが送受信されることを想定している。
これら２４種類の動画像データは、送受信装置１００において送受信される際には、図４に示すようにそのビットレートに応じて６種類に分類される。すなわち、２．５Ｇｂｐｓの伝送線１本で送受信可能なもの、２．５Ｇｂｐｓの伝送線２本が必要なもの、１０Ｇｂｐｓの伝送線１本で送受信可能なもの、１０Ｇｂｐｓの伝送線２本が必要なもの、１０Ｇｂｐｓの伝送線４本が必要なもの、１０Ｇｂｐｓの伝送線８本が必要なものの６種類である。
本実施形態の送受信装置１００は、これら２４種類の動画像データのいずれも送受信可能な構成を有する。
なお、図４に示した以外の動画像データでも、例えばダミーデータを重畳することにより、図４に示した各種動画像データと同様のビットレートとすることにより、本実施形態の送受信装置１００により伝送が可能となる。
【００２３】
次に、画像データ送信時の送信機１の動作例について説明する。
図５は、動画像データが入力された場合の送信機１の動作例を示したフローチャートである。
ステップＳＴ１：
ビットレート判別部１１１は、送信機１に入力された画像データのビットレート判別を行う。
ステップＳＴ２：
データ分割部１１２は、ステップＳＴ１においてビットレート判別された動画像データを所定数に分割する。所定数は本実施形態では８個である。具体的には、例えば、まず、データ分割部１１２は、画像データをフレーム単位で２分割する。その後、フレーム単位で２分割された画像データをスキャンライン単位で４分割ずつする。そして、分割した各々の画像データをＲＧＢ（ＹＣＣ）バスによりスイッチ部１２に入力する。
【００２４】
ステップＳＴ３：
ＰＬＬ回路１１４は、動画像データ入力のバスクロックをカウントするとともに、バスクロックを基にシステムクロックを生成する。
ＰＬＬ回路１１４の構成について説明する。
図６は、ＰＬＬ回路１１４の構成について説明するための図である。
図６に示すように、ＰＬＬ回路１１４は、ＶＣＯ４０１、位相比較器４０２、ループフィルタ４０３、レジスタ４０４、ピークホルダ４０５を有する。
ＶＣＯ４０１は、入力された電圧によって出力パルスの周波数を制御する回路である。
位相比較器４０２は、入力された二つの信号の位相差を電圧に変換し出力する回路である。
ループフィルタ４０３は、位相補償を行い、回路全体を安定化する。ループフィルタ４０３には、例えばローパスフィルタを使用する。
ＰＬＬ回路１１４では、入力信号（バスクロック）をＶＣＯ４０１に同期したレジスタ４０４でカウントし、その出力をピークホルダ４０５でホールドしてカウントした結果を出力している。バスクロックのカウント結果を以下ＣＣ（CLK Count）と称する。
また、ＰＬＬ回路１１４では、ＶＣＯ４０１の出力信号の周波数を１／ＣＣ倍したものがシステムクロックとして出力される。
ＰＬＬ回路１１４では、入力される動画像データのＲＧＢ（ＹＣＣ）毎のビット数によりＶＣＯ４０１における分周比を可変としている。そして、ＲＧＢ（ＹＣＣ）毎のビット数に応じて入力される画像データのバスクロックが異なる。その結果、バスクロックのカウント結果ＣＣやシステムクロックが異なる。
【００２５】
ステップＳＴ４：
スイッチ切替制御部１２３は、ステップＳＴ３においてカウントされたバスクロックのカウント結果（ＣＣ）を基に、スイッチ機構１２２を切り替える。
図２に示すように、スイッチ機構１２２は、２６個のスイッチ５０１〜５１６と８個のデシリアライザ５１１〜５１８を有する。
スイッチ５０１〜５０８、５１３〜５１８、５２１〜５２４は、１系統の入力とＡ及びＢの２系統の出力を有するスイッチであり、スイッチ切替制御部１２３の制御に応じて、入力された信号をＡまたはＢのいずれかから出力する。
また、スイッチ５０９〜５１２、５１９、５２０、５２５，５２６は、Ａ及びＢの２系統の入力と１系統の出力を有するスイッチであり、スイッチ切替制御部１２３の制御に応じて、ＡまたはＢから入力された信号のうちのいずれかを出力する。
デシリアライザ５１１〜５１８は、２系統の入力をデシリアライズ（直列化復元）する。
【００２６】
スイッチ切替制御部１２３は、図２に示すように、スイッチ５０１〜５１２に対しては、ＣＣが８〜１９２であった場合にＡを、ＣＣが４〜６であった場合にＢを選択させるように制御するように構成されている。また、図２に示すように、スイッチ５１３〜５１６に対しては、ＣＣが１６〜１９２であった場合にＡを、ＣＣが４〜１２であった場合にＢを選択させるように制御するように構成されている。また、図２に示すように、スイッチ５１７，５１８に対しては、ＣＣが６４〜１９２であった場合にＡを、ＣＣが１６〜４８であった場合にＢを選択させるように制御するように構成されている。また、図２に示すように、スイッチ５１９，５２０に対しては、ＣＣが１６〜４８であった場合にＡを、ＣＣが４〜１２であった場合にＢを選択させるように制御するように構成されている。また、図２に示すように、スイッチ５２１，５２２，５２５に対しては、ＣＣが３２〜４８であった場合にＡを、ＣＣが４〜２４であった場合にＢを選択させるように制御するように構成されている。また、図２に示すように、スイッチ５２３，５２４，５２６に対しては、ＣＣが１２８〜１９２であった場合にＡを、ＣＣが６４〜９６であった場合にＢを選択させるように制御するように構成されている。
【００２７】
ステップＳＴ５：
光電変換制御部１３２は、ＣＣを基に送信に使用する光電変換部１３１の電源をオンする。
図２に示すように、光電変換部１３１は、１０個の光電変換器６０１〜６１０を有する。ここで、光電変換器６０５と６１０とは、伝送速度が２．５Ｇｂｐｓのケーブル３に接続され、残りの光電変換器６０１〜６０４、６０６〜６０９は伝送速度が１０Ｇｂｐｓのケーブル３に接続されている。
図２に示すように、光電変換制御部１３２は、ＣＣが１２８から１９２である場合は光電変換器６０５のみをオンにし、ＣＣが６４から９６である場合は光電変換器６０５と６１０とをオンにする。また、ＣＣが３２〜４８である場合は、光電変換器６０１のみをオンにし、ＣＣが１６〜２４である場合は光電変換器６０１と６０６とをオンにし、ＣＣが８〜１２である場合は光電変換器６０１，６０３，６０６，６０８をオンにし、ＣＣが４〜６である場合は全ての光電変換器６０１〜６１０をオンにする。
以上説明したような動作により、送信機１は、入力された動画像データのビットレートに応じた適切な伝送速度で動画像データの送信を行うことができる。
【００２８】
次に、送信機１から送信された動画像データを受信機２が受信するときの受信機２の動作例について説明する。
図７は、動画像データ受信時の受信機２の動作例を説明するためのフローチャートである。
ステップＳＴ１１：
光電変換部２１１は、送信機１から送信された動画像データを受信する。
ステップＳＴ１２：
受信判別部２１２は、ステップＳＴ１１においてどの光電変換器７０１〜７１０が動画像データを受信したか、を判別し、その結果を、例えばパラメータＳＤ（signal detect）として出力する。以下の説明では、動画データの受信に使用された光電変換器７０１〜７１０の番号をパラメータＳＤとして扱う。
【００２９】
ステップＳＴ１３：
スイッチ切替制御部２２３は、ステップＳＴ１２において判別された結果（ＳＤ）を基に、スイッチ機構２２２を切り替える。
図３に示すように、スイッチ機構２２２は、２６個のスイッチ８０１〜８１６と８個のシリアライザ８１１〜８１８を有する。図３に示すように、スイッチ機構２２２は、図２に示す送信機１のスイッチ機構１２２の構成を反転させたものとなっている。
スイッチ８０１〜８０８、８１３〜８１８、８２１〜８２４は、Ａ及びＢの２系統の入力と１系統の出力を有するスイッチであり、スイッチ切替制御部１２３の制御に応じて、ＡまたはＢから入力された信号のうちのいずれかを出力する。
また、スイッチ８０９〜８１２、８１９、８２０、８２５，８２６は、１系統の入力とＡ及びＢの２系統の出力を有するスイッチであり、スイッチ切替制御部１２３の制御に応じて、入力された信号をＡまたはＢのいずれかから出力する。
シリアライザ８１１〜８１８は、２系統の入力をシリアライズ（直列化）する。
【００３０】
スイッチ切替制御部２２３は、図３に示すように、スイッチ８０１，８０３，８０４に対しては、ＳＤが７０５であった場合にＡを、ＳＤが７０５及び７１０であった場合にＢを選択させるように制御するように構成されている。また、図３に示すように、スイッチ８０２，８０５，８０６に対しては、ＳＤが７０１であった場合にＡを、ＳＤが７０１及び７０６であった場合にＢを選択させるように制御するように構成されている。また、図３に示すように、スイッチ８０７，８０８に対しては、ＳＤが７０１であった場合にＡを、ＳＤが７０１，７０３，７０６，７０８であった場合にＢを選択させるように制御するように構成されている。また、図３に示すように、スイッチ８０９，８１０に対しては、ＳＤが７０５であった場合にＡを、ＳＤが７０１であった場合にＢを選択させるように制御するように構成されている。また、図３に示すように、スイッチ８１１〜８１５に対しては、ＳＤが７０１或いは７０５であった場合にＡを、ＳＤが７０１，７０３，７０６，７０８であった場合にＢを選択させるように制御するように構成されている。また、図３に示すように、スイッチ８１５〜８２６に対しては、ＳＤが７０１或いは７０５であった場合にＡを、ＳＤが７０２、７０４、７０７，７０９であった場合にＢを選択させるように制御するように構成されている。
このようなスイッチ制御により、受信した分割画像データが均等に画像合成部へと入力される。
【００３１】
ステップＳＴ１４：
画像合成部２３は、ステップＳＴ１３におけるスイッチ制御により実現した伝送ライン２２１によるルートを通って取得した、分割された画像データを合成する。分割された画像データは、フレーム単位で２分割され、さらにスキャンライン単位で２分割されているため、これらを逆の手順で合成することにより、合成画像データが得られる。
以上説明したような動作により、受信機２は、送信機１が分割して送信した動画像データを好適に取得し、合成して元の動画像データを得ることができる。
【００３２】
以下、本実施形態の送受信装置１００において、図４に示したような各種動画像データを送受信する場合の具体例について説明する。
（１）２ｋ１ｋ、３０ｐの動画像データの送信の場合
まず、２ｋ１ｋ、３０ｐの動画像データを送信機１で送信する場合について説明する。
ビットレート判別部１１１は、２ｋ１ｋ、３０ｐの動画像データが入力された場合には、ＲＧＢごとに８ビット有する場合には１．７８２Ｇｂｐｓであり、１０ビットの場合には２．２２７５Ｇｂｐｓであり、１２ビットの場合には２．６７３Ｇｂｐｓのビットレートを有する動画像データであると判別することになる。
【００３３】
また、ＰＬＬ回路１１４が、バスクロックのカウント結果（ＣＣ）とシステムクロックを生成する。
ＰＬＬ回路１１４における各種信号のタイムチャートの一例を図８に示す。
図８は、２ｋ１ｋ、３０ｐの動画像データのバスクロックを入力した場合の、ＰＬＬ回路１１４における各種信号のタイムチャートの一例である。
図８において、「ＶＣＯ」はＶＣＯ４０１の出力信号であり、「Ｂｕｓ ＣＬＫ」は入力されるバスクロックであり、「Ｒｅｇｉｓｔｅｒ」はバスクロックのカウント結果ＣＣであり、「ＶＣＯ／Ｎ（Ｎは整数）」はＶＣＯ４０１の出力信号をＮ＝ＣＣで除算して得られるシステムクロックであり、「Phase Detect」は位相比較器４０２の出力信号である。
また、図８（ａ）がＲＧＢ（ＹＣＣ）毎のビット数が８ビットである場合のタイムチャート、図８（ｂ）がＲＧＢ（ＹＣＣ）毎のビット数が１０ビットである場合のタイムチャート、図８（ｃ）がＲＧＢ（ＹＣＣ）毎のビット数が１２ビットである場合のタイムチャートを示している。
【００３４】
図８に示すように、２ｋ１ｋ、３０ｐの動画像データの場合、バスクロックのカウント結果ＣＣは、１９２、１５４、１２８のいずれかの値となる。
ＰＬＬ１１４が生成したＣＣの値は、図５のフローチャートにおいて説明したように、スイッチ切替制御部１２３に入力され、スイッチ切替制御部１２３はＣＣに応じてスイッチの切り替えを制御することになる。
スイッチ切替制御部１２３は、図２に示す判断基準に従って、全てのスイッチに対してＡを選択させるようにスイッチ５０１〜５２６を制御する。結果、分割された動画像データは図９に示すルートαを通ることになる。
図９は、２ｋ１ｋ、３０ｐの動画像データを送信する際の送信機１におけるスイッチ機構１２２の切り替えを説明するための図である。
図９において太線αで示したルートを通って、データ分割部１１２により分割された動画像データは伝送ライン１２１上を順次伝送される。
【００３５】
そして、光電変換制御部１３２が、ＣＣに応じて送信に使用する光電変換器をオンにする。すなわち、２ｋ１ｋ、３０ｐの動画像データの場合には、ＣＣは１２８、１５４、１９２のいずれかであるため、上述した判断基準に従って、光電変換器６０５のみをオンにする。
【００３６】
以上説明した動作により、送信機１において、２ｋ１ｋ、３０ｐの動画像データは、１本の伝送速度２．５Ｇｂｐｓのケーブル３により送信されることになる。
図４に示すように、２ｋ１ｋ、３０ｐの動画像データを送信するために必要な伝送速度は、ＲＧＢ（ＹＣＣ）ごとに８ビットの場合で１．７８２Ｇｂｐｓ、１０ビットの場合で２．２２７５Ｇｂｐｓ、１２ビットの場合で２．６７３Ｇｂｐｓであるため、適正な伝送速度で送信を行うことができるようになっている、といえる。
【００３７】
（２）２ｋ１ｋ、３０ｐの動画像データの受信の場合
まず、光電変換部２１１が送信機１から送信されたデータを受信したら、受信判別部２１２が受信に使用した光電変換器を判別する。
２ｋ１ｋ、３０ｐの動画像データの受信の場合、２．５Ｇｂｐｓのケーブル３を使用して動画像データは送信機１から送信され、２．５Ｇｂｐｓのケーブル３に接続された光電変換器７０５が受信を行うことになる。したがって、受信判別部２１２が生成するパラメータＳＤは７０５となる。
【００３８】
次に、スイッチ切替制御部２２３は、パラメータＳＤに応じてスイッチ機構２２２を切り替える。
スイッチ切替制御部１２３は、図３に示す判断基準に従って、全てのスイッチに対してＡを選択させるようにスイッチ８０１〜８２６を制御する。結果、分割された動画像データは図１０に示すルートβを通ることになる。
図１０は、２ｋ１ｋ、３０ｐの動画像データを受信する際の受信機２におけるスイッチ機構２２２の切り替えを説明するための図である。
図１０において太線βで示したルートを通って、送信機１から受信した分割された動画像データは伝送ライン２２１上を順次伝送される。
【００３９】
そして、画像合成部２３が分割された画像データを合成し、出力する。
以上説明した動作により、送信機１から送信された分割された２ｋ１ｋ、３０ｐの動画像データは、好適に送信機２により受信され、合成されて出力される。これにより。好適な受信が行われる。
【００４０】
（３）２ｋ１ｋ、６０ｐの動画像データの送信の場合
次に、２ｋ１ｋ、６０ｐの動画像データを送信機１で送信する場合について説明する。
ビットレート判別部１１１は、２ｋ１ｋ、６０ｐの動画像データが入力された場合には、ＲＧＢごとに８ビット有する場合には３．５６４Ｇｂｐｓであり、１０ビットの場合には４．４５５Ｇｂｐｓであり、１２ビットの場合には５．３４６Ｇｂｐｓのビットレートを有する動画像データであると判別することになる。
【００４１】
また、ＰＬＬ回路１１４が、バスクロックのカウント結果（ＣＣ）とシステムクロックを生成する。
図１１は、２ｋ１ｋ、６０ｐの動画像データのバスクロックを入力した場合の、ＰＬＬ回路１１４における各種信号のタイムチャートの一例である。
図１１（ａ）がＲＧＢ（ＹＣＣ）毎のビット数が８ビットである場合のタイムチャート、図１１（ｂ）がＲＧＢ（ＹＣＣ）毎のビット数が１０ビットである場合のタイムチャート、図１１（ｃ）がＲＧＢ（ＹＣＣ）毎のビット数が１２ビットである場合のタイムチャートを示している。
【００４２】
図１１に示すように、２ｋ１ｋ、６０ｐの動画像データの場合、バスクロックのカウント結果ＣＣは、９６、７７、６４のいずれかの値となる。
ＰＬＬ１１４が生成したＣＣの値は、図５のフローチャートにおいて説明したように、スイッチ切替制御部１２３に入力され、スイッチ切替制御部１２３はＣＣに応じてスイッチの切り替えを制御することになる。
スイッチ切替制御部１２３は、図２に示す判断基準に従って、スイッチ５０１〜５１８に対してはＡを、スイッチ５２３、５２４、５２６に対してはスイッチＢを選択させるようにスイッチ５０１〜５２６を制御する。結果、分割された動画像データは図１２に示すルートγを通ることになる。
図１２は、２ｋ１ｋ、６０ｐの動画像データを送信する際の送信機１におけるスイッチ機構１２２の切り替えを説明するための図である。
図１２において太線γで示したルートを通って、データ分割部１１２により分割された動画像データは伝送ライン１２１上を順次伝送される。
【００４３】
そして、光電変換制御部１３２が、ＣＣに応じて送信に使用する光電変換器をオンにする。すなわち、２ｋ１ｋ、６０ｐの動画像データの場合には、ＣＣは９６、７７、６４のいずれかであるため、上述した判断基準に従って、光電変換器６０５と６１０とをオンにする。
【００４４】
以上説明した動作により、送信機１において、２ｋ１ｋ、６０ｐの動画像データは、２本の伝送速度２．５Ｇｂｐｓのケーブル３により送信されることになる。
図４に示すように、２ｋ１ｋ、６０ｐの動画像データを送信するために必要な伝送速度は、ＲＧＢ（ＹＣＣ）ごとに８ビットの場合で３．５６４Ｇｂｐｓ、１０ビットの場合で４．４５５Ｇｂｐｓ、１２ビットの場合で５．３４６Ｇｂｐｓであるため、適正な伝送速度（２．５Ｇｂｐｓのケーブル２本、すなわち約５Ｇｂｐｓ）で送信を行うことができるようになっている、といえる。
【００４５】
（４）２ｋ１ｋ、６０ｐの動画像データの受信の場合
まず、光電変換部２１１が送信機１から送信されたデータを受信したら、受信判別部２１２が受信に使用した光電変換器を判別する。
２ｋ１ｋ、６０ｐの動画像データの受信の場合、２本の２．５Ｇｂｐｓのケーブル３を使用して動画像データは送信機１から送信され、２本の２．５Ｇｂｐｓのケーブル３に接続された光電変換器７０５及び７１０が受信を行うことになる。したがって、受信判別部２１２が生成するパラメータＳＤは７０５及び７１０となる。
【００４６】
次に、スイッチ切替制御部２２３は、パラメータＳＤに応じてスイッチ機構２２２を切り替える。
スイッチ切替制御部１２３は、図３に示す判断基準に従って、スイッチ８０１、８０３、に対してＢを、スイッチ８０８〜８２６までの全てのスイッチに対してＡを選択させるようにスイッチ８０１〜８２６を制御する。結果、分割された動画像データは図１３に示すルートδを通ることになる。
図１３は、２ｋ１ｋ、３０ｐの動画像データを受信する際の受信機２におけるスイッチ機構２２２の切り替えを説明するための図である。
図１３において太線δで示したルートを通って、送信機１から受信した分割された動画像データは伝送ライン２２１上を順次伝送される。
【００４７】
そして、画像合成部２３が分割された画像データを合成し、出力する。
以上説明した動作により、送信機１から送信された分割された２ｋ１ｋ、６０ｐの動画像データは、好適に送信機２により受信され、合成されて出力される。これにより。好適な受信が行われる。
【００４８】
（５）２ｋ１ｋ、１２０ｐ或いは４ｋ２ｋ、３０ｐの動画像データの送信の場合
次に、２ｋ１ｋ、１２０ｐ或いは４ｋ２ｋ、３０ｐの動画像データを送信機１で送信する場合について説明する。
図４に示すように、２ｋ１ｋ、１２０ｐの動画像データと、４ｋ２ｋ、３０ｐの動画像データとは、同じビットレートを有する。
すなわち、ビットレート判別部１１１は、２ｋ１ｋ、１２０ｐ或いは４ｋ２ｋ、３０ｐの動画像データが入力された場合には、ＲＧＢごとに８ビット有する場合には７．１２８Ｇｂｐｓであり、１０ビットの場合には８．９１Ｇｂｐｓであり、１２ビットの場合には１０．６９２Ｇｂｐｓのビットレートを有する動画像データであると判別することになる。
【００４９】
また、ＰＬＬ回路１１４が、バスクロックのカウント結果（ＣＣ）とシステムクロックを生成する。
図１４は、２ｋ１ｋ、１２０ｐ或いは４ｋ２ｋ、３０ｐの動画像データのバスクロックを入力した場合の、ＰＬＬ回路１１４における各種信号のタイムチャートの一例である。
図１４（ａ）がＲＧＢ（ＹＣＣ）毎のビット数が８ビットである場合のタイムチャート、図１４（ｂ）がＲＧＢ（ＹＣＣ）毎のビット数が１０ビットである場合のタイムチャート、図１４（ｃ）がＲＧＢ（ＹＣＣ）毎のビット数が１２ビットである場合のタイムチャートを示している。
【００５０】
図１４に示すように、２ｋ１ｋ、１２０ｐ或いは４ｋ２ｋ、３０ｐの動画像データの場合、バスクロックのカウント結果ＣＣは、４８、３８、３２のいずれかの値となる。
ＰＬＬ１１４が生成したＣＣの値は、図５のフローチャートにおいて説明したように、スイッチ切替制御部１２３に入力され、スイッチ切替制御部１２３はＣＣに応じてスイッチの切り替えを制御することになる。
スイッチ切替制御部１２３は、図２に示す判断基準に従って、スイッチ５０１〜５１６、５１９〜５２２、５２５に対してはＡを、スイッチ５１７、５１８に対してはスイッチＢを選択させるようにスイッチ５０１〜５２６を制御する。結果、分割された動画像データは図１５に示すルートεを通ることになる。
図１５は、２ｋ１ｋ、１２０ｐ或いは４ｋ２ｋ、３０ｐの動画像データを送信する際の送信機１におけるスイッチ機構１２２の切り替えを説明するための図である。
図１５において太線εで示したルートを通って、データ分割部１１２により分割された動画像データは伝送ライン１２１上を順次伝送される。
【００５１】
そして、光電変換制御部１３２が、ＣＣに応じて送信に使用する光電変換器をオンにする。すなわち、２ｋ１ｋ、１２０ｐ或いは４ｋ２ｋ、３０ｐの動画像データの場合には、ＣＣは４８、３８、３２のいずれかであるため、上述した判断基準に従って、光電変換器６０１のみをオンにする。
【００５２】
以上説明した動作により、送信機１において、２ｋ１ｋ、１２０ｐ或いは４ｋ２ｋ、３０ｐの動画像データは、１本の伝送速度１０Ｇｂｐｓのケーブル３により送信されることになる。
図４に示すように、２ｋ１ｋ、１２０ｐ或いは４ｋ２ｋ、３０ｐの動画像データを送信するために必要な伝送速度は、ＲＧＢ（ＹＣＣ）ごとに８ビットの場合で７．１２８Ｇｂｐｓ、１０ビットの場合で８．９１Ｇｂｐｓ、１２ビットの場合で１０．６９２Ｇｂｐｓであるため、適正な伝送速度（１０Ｇｂｐｓのケーブル１本、すなわち約１０Ｇｂｐｓ）で送信を行うことができるようになっている、といえる。
【００５３】
（６）２ｋ１ｋ、１２０ｐ或いは４ｋ２ｋ、３０ｐの動画像データの受信の場合
まず、光電変換部２１１が送信機１から送信されたデータを受信したら、受信判別部２１２が受信に使用した光電変換器を判別する。
２ｋ１ｋ、１２０ｐ或いは４ｋ２ｋ、３０ｐの動画像データの受信の場合、１本の１０Ｇｂｐｓのケーブル３を使用して動画像データは送信機１から送信され、１本の１０Ｇｂｐｓのケーブル３に接続された光電変換器７０１が受信を行うことになる。したがって、受信判別部２１２が生成するパラメータＳＤは７０１となる。
【００５４】
次に、スイッチ切替制御部２２３は、パラメータＳＤに応じてスイッチ機構２２２を切り替える。
スイッチ切替制御部１２３は、図３に示す判断基準に従って、スイッチ８０２、８０５〜８０８、８１１〜８２６に対してＡを、スイッチ８０９、８１０に対してＢを選択させるようにスイッチ８０１〜８２６を制御する。結果、分割された動画像データは図１６に示すルートζを通ることになる。
図１６は、２ｋ１ｋ、１２０ｐ或いは４ｋ２ｋ、３０ｐの動画像データを受信する際の受信機２におけるスイッチ機構２２２の切り替えを説明するための図である。
図１６において太線ζで示したルートを通って、送信機１から受信した分割された動画像データは伝送ライン２２１上を順次伝送される。
【００５５】
そして、画像合成部２３が分割された画像データを合成し、出力する。
以上説明した動作により、送信機１から送信された分割された２ｋ１ｋ、１２０ｐ或いは４ｋ２ｋ、３０ｐの動画像データは、好適に送信機２により受信され、合成されて出力される。これにより。好適な受信が行われる。
【００５６】
（７）２ｋ１ｋ、２４０ｐ或いは４ｋ２ｋ、６０ｐの動画像データの送信の場合
次に、２ｋ１ｋ、２４０ｐ或いは４ｋ２ｋ、６０ｐの動画像データを送信機１で送信する場合について説明する。
図４に示すように、２ｋ１ｋ、２４０ｐの動画像データと、４ｋ２ｋ、６０ｐの動画像データとは、同じビットレートを有する。
すなわち、ビットレート判別部１１１は、２ｋ１ｋ、２４０ｐ或いは４ｋ２ｋ、６０ｐの動画像データが入力された場合には、ＲＧＢごとに８ビット有する場合には１４．２５６Ｇｂｐｓであり、１０ビットの場合には１７．８２Ｇｂｐｓであり、１２ビットの場合には２１．３８４Ｇｂｐｓのビットレートを有する動画像データであると判別することになる。
【００５７】
また、ＰＬＬ回路１１４が、バスクロックのカウント結果（ＣＣ）とシステムクロックを生成する。
図１７は、２ｋ１ｋ、２４０ｐ或いは４ｋ２ｋ、６０ｐの動画像データのバスクロックを入力した場合の、ＰＬＬ回路１１４における各種信号のタイムチャートの一例である。
図１７（ａ）がＲＧＢ（ＹＣＣ）毎のビット数が８ビットである場合のタイムチャート、図１７（ｂ）がＲＧＢ（ＹＣＣ）毎のビット数が１０ビットである場合のタイムチャート、図１７（ｃ）がＲＧＢ（ＹＣＣ）毎のビット数が１２ビットである場合のタイムチャートを示している。
【００５８】
図１７に示すように、２ｋ１ｋ、２４０ｐ或いは４ｋ２ｋ、６０ｐの動画像データの場合、バスクロックのカウント結果ＣＣは、２４、１９、１６のいずれかの値となる。
ＰＬＬ１１４が生成したＣＣの値は、図５のフローチャートにおいて説明したように、スイッチ切替制御部１２３に入力され、スイッチ切替制御部１２３はＣＣに応じてスイッチの切り替えを制御することになる。
スイッチ切替制御部１２３は、図２に示す判断基準に従って、スイッチ５０１〜５１６、５１９、５２０に対してはＡを、スイッチ５１７、５１８、５２１，５２２，５２５に対してはスイッチＢを選択させるようにスイッチ５０１〜５２６を制御する。結果、分割された動画像データは図１７に示すルートηを通ることになる。
図１８は、２ｋ１ｋ、２４０ｐ或いは４ｋ２ｋ、６０ｐの動画像データを送信する際の送信機１におけるスイッチ機構１２２の切り替えを説明するための図である。
図１８において太線ηで示したルートを通って、データ分割部１１２により分割された動画像データは伝送ライン１２１上を順次伝送される。
【００５９】
そして、光電変換制御部１３２が、ＣＣに応じて送信に使用する光電変換器をオンにする。すなわち、２ｋ１ｋ、２４０ｐ或いは４ｋ２ｋ、６０ｐの動画像データの場合には、ＣＣは２４、１９、１６のいずれかであるため、上述した判断基準に従って、光電変換器６０１及び６０６をオンにする。
【００６０】
以上説明した動作により、送信機１において、２ｋ１ｋ、２４０ｐ或いは４ｋ２ｋ、６０ｐの動画像データは、２本の伝送速度１０Ｇｂｐｓのケーブル３により送信されることになる。
図４に示すように、２ｋ１ｋ、２４０ｐ或いは４ｋ２ｋ、６０ｐの動画像データを送信するために必要な伝送速度は、ＲＧＢ（ＹＣＣ）ごとに８ビットの場合で１４．２５６Ｇｂｐｓ、１０ビットの場合で１７．８２Ｇｂｐｓ、１２ビットの場合で２１．３８４Ｇｂｐｓであるため、適正な伝送速度（１０Ｇｂｐｓのケーブル２本、すなわち約２０Ｇｂｐｓ）で送信を行うことができるようになっている、といえる。
【００６１】
（８）２ｋ１ｋ、２４０ｐ或いは４ｋ２ｋ、６０ｐの動画像データの受信の場合
まず、光電変換部２１１が送信機１から送信されたデータを受信したら、受信判別部２１２が受信に使用した光電変換器を判別する。
２ｋ１ｋ、２４０ｐ或いは４ｋ２ｋ、６０ｐの動画像データの受信の場合、２本の１０Ｇｂｐｓのケーブル３を使用して動画像データは送信機１から送信され、２本の１０Ｇｂｐｓのケーブル３に接続された光電変換器７０１及び７０６が受信を行うことになる。したがって、受信判別部２１２が生成するパラメータＳＤは７０１及び７０６となる。
【００６２】
次に、スイッチ切替制御部２２３は、パラメータＳＤに応じてスイッチ機構２２２を切り替える。
スイッチ切替制御部１２３は、図３に示す判断基準に従って、スイッチ８０７，８０８、８１１〜８２６に対してＡを、スイッチ８０２、８０５、８０６、８０９、８１０に対してＢを選択させるようにスイッチ８０１〜８２６を制御する。結果、分割された動画像データは図１９に示すルートθを通ることになる。
図１９は、２ｋ１ｋ、１２０ｐ或いは４ｋ２ｋ、３０ｐの動画像データを受信する際の受信機２におけるスイッチ機構２２２の切り替えを説明するための図である。
図１９において太線θで示したルートを通って、送信機１から受信した分割された動画像データは伝送ライン２２１上を順次伝送される。
【００６３】
そして、画像合成部２３が分割された画像データを合成し、出力する。
以上説明した動作により、送信機１から送信された分割された２ｋ１ｋ、２４０ｐ或いは４ｋ２ｋ、６０ｐの動画像データは、好適に送信機２により受信され、合成されて出力される。これにより。好適な受信が行われる。
【００６４】
（９）４ｋ２ｋ、１２０ｐの動画像データの送信の場合
次に、４ｋ２ｋ、１２０ｐの動画像データを送信機１で送信する場合について説明する。
すなわち、ビットレート判別部１１１は、４ｋ２ｋ、１２０ｐの動画像データが入力された場合には、ＲＧＢごとに８ビット有する場合には２８．５１２Ｇｂｐｓであり、１０ビットの場合には３５．６４Ｇｂｐｓであり、１２ビットの場合には４２．７６８Ｇｂｐｓのビットレートを有する動画像データであると判別することになる。
【００６５】
また、ＰＬＬ回路１１４が、バスクロックのカウント結果（ＣＣ）とシステムクロックを生成する。
図２０は、４ｋ２ｋ、１２０ｐの動画像データのバスクロックを入力した場合の、ＰＬＬ回路１１４における各種信号のタイムチャートの一例である。
図２０（ａ）がＲＧＢ（ＹＣＣ）毎のビット数が８ビットである場合のタイムチャート、図２０（ｂ）がＲＧＢ（ＹＣＣ）毎のビット数が１０ビットである場合のタイムチャート、図２０（ｃ）がＲＧＢ（ＹＣＣ）毎のビット数が１２ビットである場合のタイムチャートを示している。
【００６６】
図２０に示すように、４ｋ２ｋ、１２０ｐの動画像データの場合、バスクロックのカウント結果ＣＣは、１２、１０、８のいずれかの値となる。
ＰＬＬ１１４が生成したＣＣの値は、図５のフローチャートにおいて説明したように、スイッチ切替制御部１２３に入力され、スイッチ切替制御部１２３はＣＣに応じてスイッチの切り替えを制御することになる。
スイッチ切替制御部１２３は、図２に示す判断基準に従って、スイッチ５０１〜５１２に対してはＡを、スイッチ５１３〜５１６、５１９〜５２２、５２５に対してはスイッチＢを選択させるようにスイッチ５０１〜５２６を制御する。結果、分割された動画像データは図２０に示すルートιを通ることになる。
図２１は、４ｋ２ｋ、１２０ｐの動画像データを送信する際の送信機１におけるスイッチ機構１２２の切り替えを説明するための図である。
図２１において太線ιで示したルートを通って、データ分割部１１２により分割された動画像データは伝送ライン１２１上を順次伝送される。
【００６７】
そして、光電変換制御部１３２が、ＣＣに応じて送信に使用する光電変換器をオンにする。すなわち、４ｋ２ｋ、１２０ｐの動画像データの場合には、ＣＣは１２、１０、８のいずれかであるため、上述した判断基準に従って、４個の光電変換器６０１、６０３、６０６及び６０８をオンにする。
【００６８】
以上説明した動作により、送信機１において、４ｋ２ｋ、１２０ｐの動画像データは、４本の伝送速度１０Ｇｂｐｓのケーブル３により送信されることになる。
図４に示すように、４ｋ２ｋ、１２０ｐの動画像データを送信するために必要な伝送速度は、ＲＧＢ（ＹＣＣ）ごとに８ビットの場合で２８．５１２Ｇｂｐｓ、１０ビットの場合で３５．６４Ｇｂｐｓ、１２ビットの場合で４２．７６８Ｇｂｐｓであるため、適正な伝送速度（１０Ｇｂｐｓのケーブル４本、すなわち約４０Ｇｂｐｓ）で送信を行うことができるようになっている、といえる。
【００６９】
（１０）４ｋ２ｋ、１２０ｐの動画像データの受信の場合
まず、光電変換部２１１が送信機１から送信されたデータを受信したら、受信判別部２１２が受信に使用した光電変換器を判別する。
４ｋ２ｋ、１２０ｐの動画像データの受信の場合、４本の１０Ｇｂｐｓのケーブル３を使用して動画像データは送信機１から送信され、４本の１０Ｇｂｐｓのケーブル３に接続された光電変換器７０１、７０３、７０６及び７０８が受信を行うことになる。したがって、受信判別部２１２が生成するパラメータＳＤは７０１、７０３、７０６、７０８となる。
【００７０】
次に、スイッチ切替制御部２２３は、パラメータＳＤに応じてスイッチ機構２２２を切り替える。
スイッチ切替制御部１２３は、図３に示す判断基準に従って、スイッチ８１５〜８２６に対してＡを、スイッチ８０２、８０５〜８０８、８１１〜８１４に対してＢを選択させるようにスイッチ８０１〜８２６を制御する。結果、分割された動画像データは図２２に示すルートκを通ることになる。
図２２は、４ｋ２ｋ、１２０ｐの動画像データを受信する際の受信機２におけるスイッチ機構２２２の切り替えを説明するための図である。
図２２において太線κで示したルートを通って、送信機１から受信した分割された動画像データは伝送ライン２２１上を順次伝送される。
【００７１】
そして、画像合成部２３が分割された画像データを合成し、出力する。
以上説明した動作により、送信機１から送信された分割された４ｋ２ｋ、１２０ｐの動画像データは、好適に送信機２により受信され、合成されて出力される。これにより。好適な受信が行われる。
【００７２】
（１１）４ｋ２ｋ、２４０ｐの動画像データの送信の場合
次に、４ｋ２ｋ、２４０ｐの動画像データを送信機１で送信する場合について説明する。
すなわち、ビットレート判別部１１１は、４ｋ２ｋ、２４０ｐの動画像データが入力された場合には、ＲＧＢごとに８ビット有する場合には５７．０２４Ｇｂｐｓであり、１０ビットの場合には７１．２８Ｇｂｐｓであり、１２ビットの場合には８５．５３６Ｇｂｐｓのビットレートを有する動画像データであると判別することになる。
【００７３】
また、ＰＬＬ回路１１４が、バスクロックのカウント結果（ＣＣ）とシステムクロックを生成する。
図２３は、４ｋ２ｋ、２４０ｐの動画像データのバスクロックを入力した場合の、ＰＬＬ回路１１４における各種信号のタイムチャートの一例である。
図２３（ａ）がＲＧＢ（ＹＣＣ）毎のビット数が８ビットである場合のタイムチャート、図２３（ｂ）がＲＧＢ（ＹＣＣ）毎のビット数が１０ビットである場合のタイムチャート、図２３（ｃ）がＲＧＢ（ＹＣＣ）毎のビット数が１２ビットである場合のタイムチャートを示している。
【００７４】
図２３に示すように、４ｋ２ｋ、２４０ｐの動画像データの場合、バスクロックのカウント結果ＣＣは、６、５、４のいずれかの値となる。
ＰＬＬ１１４が生成したＣＣの値は、図５のフローチャートにおいて説明したように、スイッチ切替制御部１２３に入力され、スイッチ切替制御部１２３はＣＣに応じてスイッチの切り替えを制御することになる。
スイッチ切替制御部１２３は、図２に示す判断基準に従って、スイッチ５０１〜５１６、５１９〜５２２，５２５に対してスイッチＢを選択させるようにスイッチ５０１〜５２６を制御する。結果、分割された動画像データは図２４に示すルートλを通ることになる。
図２４は、４ｋ２ｋ、２４０ｐの動画像データを送信する際の送信機１におけるスイッチ機構１２２の切り替えを説明するための図である。
図２４において太線λを示したルートを通って、データ分割部１１２により分割された動画像データは伝送ライン１２１上を順次伝送される。
【００７５】
そして、光電変換制御部１３２が、ＣＣに応じて送信に使用する光電変換器をオンにする。すなわち、４ｋ２ｋ、２４０ｐの動画像データの場合には、ＣＣは６、５、４のいずれかであるため、上述した判断基準に従って、４個の光電変換器６０１〜６０４、６０６〜６０９をオンにする。
【００７６】
以上説明した動作により、送信機１において、４ｋ２ｋ、２４０ｐの動画像データは、８本の伝送速度１０Ｇｂｐｓのケーブル３により送信されることになる。
図４に示すように、４ｋ２ｋ、２４０ｐの動画像データを送信するために必要な伝送速度は、ＲＧＢ（ＹＣＣ）ごとに８ビットの場合で５７．０２４Ｇｂｐｓ、１０ビットの場合で７１．２８Ｇｂｐｓ、１２ビットの場合で８５．５３６Ｇｂｐｓであるため、適正な伝送速度（１０Ｇｂｐｓのケーブル８本、すなわち約８０Ｇｂｐｓ）で送信を行うことができるようになっている、といえる。
【００７７】
（１２）４ｋ２ｋ、２４０ｐの動画像データの受信の場合
まず、光電変換部２１１が送信機１から送信されたデータを受信したら、受信判別部２１２が受信に使用した光電変換器を判別する。
４ｋ２ｋ、２４０ｐの動画像データの受信の場合、８本の１０Ｇｂｐｓのケーブル３を使用して動画像データは送信機１から送信され、８本の１０Ｇｂｐｓのケーブル３に接続された光電変換器７０１〜７０４、７０６〜７０９が受信を行うことになる。したがって、受信判別部２１２が生成するパラメータＳＤは７０１〜７０４、７０６〜７０９となる。
【００７８】
次に、スイッチ切替制御部２２３は、パラメータＳＤに応じてスイッチ機構２２２を切り替える。
スイッチ切替制御部１２３は、図３に示す判断基準に従って、スイッチ８０２、８０５〜８０８、８１１〜８２６に対してＢを選択させるようにスイッチ８０１〜８２６を制御する。結果、分割された動画像データは図２５に示すルートμを通ることになる。
図２５は、４ｋ２ｋ、２４０ｐの動画像データを受信する際の受信機２におけるスイッチ機構２２２の切り替えを説明するための図である。
図２５において太線μで示したルートを通って、送信機１から受信した分割された動画像データは伝送ライン２２１上を順次伝送される。
【００７９】
そして、画像合成部２３が分割された画像データを合成し、出力する。
以上説明した動作により、送信機１から送信された分割された４ｋ２ｋ、２４０ｐの動画像データは、好適に送信機２により受信され、合成されて出力される。これにより。好適な受信が行われる。
【００８０】
以上説明したように、本実施形態の送受信装置１００によれば、送信機１は動画像データを均等に複数に分割し、動画像データの入力のバスクロックに応じてスイッチ切替制御部１２３が切り替えるスイッチ機構１２２により異なる伝送ライン１２１を介して伝送する。そして、動画像データのバスクロックに応じた数の光電変換器６０１〜６１０をオンにし、動画像データのビットレートに応じた伝送速度で１つまたは複数のケーブル３を使用して伝送する。これにより、各種動画像データを、１つの送信機１によって、適切な伝送速度で送信を行うことができるようになる。
【００８１】
また、本実施形態の送受信装置１００によれば、受信機２は、送信機１が分割して送信した動画像データを１つまたは複数のケーブル３を介して受信し、受信に使用した光電変換器７０１〜７１０の個数に応じてスイッチ切替制御部２２３が切り替えるスイッチ機構２２２により異なる伝送ライン２２１を介して伝送する。そして、画像合成部２３が分割された動画像データを合成して出力する。これにより、送信機１から分割して送信された動画像データを好適に受信して元のデータへ戻すことができる。
【００８２】
なお、上述した実施形態では入力された動画像データを８個に分割して送受信を行っていたが、本発明はこれには限定されない。すなわち、例えば２のｎ乗個（ｎは正の整数）に分割して送信するようにしてもよい。ただし、この場合は、スイッチの数をこれに応じて増減させればよい。
また、上述した実施形態では、送受信装置１００において送受信を行うデータを動画像データとしたが、本発明はこれには限定されない。すなわち、本発明の送受信装置は、他の大容量データの送受信時にも利用可能である。
【００８３】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
【図面の簡単な説明】
【００８４】
【図１】図1は、送受信装置の構成の一例を示したブロック図である。
【図２】図２は、送信機の構成の一例を示したブロック図である。
【図３】図３は、受信機の構成の一例を示したブロック図である。
【図４】図４は、送信機から受信機へと送信される動画像データの例を示した図である。
【図５】図５は、動画像データが入力された場合の送信機の動作例を示したフローチャートである。
【図６】図６は、ＰＬＬ回路の構成の一例を示した図である。
【図７】図７は、動画像データ受信時の受信機の動作例を示したフローチャートである。
【図８】図８は、２ｋ１ｋ、３０ｐの動画像データのバスクロックを入力した場合の、ＰＬＬ回路における各種信号のタイムチャートの一例である。
【図９】図９は、２ｋ１ｋ、３０ｐの動画像データを送信する際の送信機におけるスイッチ切替の様子を説明するための図である。
【図１０】図１０は、２ｋ１ｋ、３０ｐの動画像データを受信する受信機におけるスイッチ切替の様子を説明するための図である。
【図１１】図１１は、２ｋ１ｋ、６０ｐの動画像データのバスクロックを入力した場合の、ＰＬＬ回路における各種信号のタイムチャートの一例である。
【図１２】図１２は、２ｋ１ｋ、６０ｐの動画像データを送信する際の送信機におけるスイッチ切替の様子を説明するための図である。
【図１３】図１３は、２ｋ１ｋ、６０ｐの動画像データを受信する受信機におけるスイッチ切替の様子を説明するための図である。
【図１４】図１４は、２ｋ１ｋ、１２０ｐ或いは４ｋ２ｋ、３０ｐの動画像データのバスクロックを入力した場合の、ＰＬＬ回路における各種信号のタイムチャートの一例である。
【図１５】図１５は、２ｋ１ｋ、１２０ｐ或いは４ｋ２ｋ、３０ｐの動画像データを送信する際の送信機におけるスイッチ切替の様子を説明するための図である。
【図１６】図１６は、２ｋ１ｋ、１２０ｐ或いは４ｋ２ｋ、３０ｐの動画像データを受信する受信機におけるスイッチ切替の様子を説明するための図である。
【図１７】図１７は、２ｋ１ｋ、２４０ｐ或いは４ｋ２ｋ、６０ｐの動画像データのバスクロックを入力した場合の、ＰＬＬ回路における各種信号のタイムチャートの一例である。
【図１８】図１８は、２ｋ１ｋ、２４０ｐ或いは４ｋ２ｋ、６０ｐの動画像データを送信する際の送信機におけるスイッチ切替の様子を説明するための図である。
【図１９】図１９は、２ｋ１ｋ、２４０ｐ或いは４ｋ２ｋ、６０ｐの動画像データを受信する受信機におけるスイッチ切替の様子を説明するための図である。
【図２０】図２０は、４ｋ２ｋ、１２０ｐの動画像データのバスクロックを入力した場合の、ＰＬＬ回路における各種信号のタイムチャートの一例である。
【図２１】図２１は、４ｋ２ｋ、１２０ｐの動画像データを送信する際の送信機におけるスイッチ切替の様子を説明するための図である。
【図２２】図２２は、４ｋ２ｋ、１２０ｐの動画像データを受信する受信機におけるスイッチ切替の様子を説明するための図である。
【図２３】図２３は、４ｋ２ｋ、２４０ｐの動画像データのバスクロックを入力した場合の、ＰＬＬ回路における各種信号のタイムチャートの一例である。
【図２４】図２４は、４ｋ２ｋ、２４０ｐの動画像データを送信する際の送信機におけるスイッチ切替の様子を説明するための図である。
【図２５】図２５は、４ｋ２ｋ、２４０ｐの動画像データを受信する受信機におけるスイッチ切替の様子を説明するための図である。
【符号の説明】
【００８５】
１００…送受信装置、１…送信機、１１…ドライブ、１１１…ビットレート判別部、１１２…データ分割部、１１３…データ出力部、１１４…ＰＬＬ回路、１２…伝送経路部、１２１…伝送ライン、１２２…スイッチ機構、１２３…スイッチ切替制御部、１３…送信部、１３１…光電変換部、１３２…光電変換制御部、２…受信機、２１…受信部、２１１…光電変換部、２１２…受信判別部、２２…伝送経路部、２３…画像合成部、２２１…伝送ライン、２２２…スイッチ機構、２２３…スイッチ切替制御部、３…ケーブル、４０１…ＶＣＯ、４０２…位相比較器、４０３…ループフィルタ、４０４…レジスタ、４０５…ピークホルダ、５０１-５２６…スイッチ、６０１-６１０…光電変換器、７０１-７１０…光電変換器、８０１-８２６…スイッチ
【図１】
2010016418.tif 000003
【図２】
2010016418.tif 000004
【図３】
2010016418.tif 000005
【図４】
2010016418.tif 000006
【図５】
2010016418.tif 000007
【図６】
2010016418.tif 000008
【図７】
2010016418.tif 000009
【図８】
2010016418.tif 000010
【図９】
2010016418.tif 000011
【図１０】
2010016418.tif 000012
【図１１】
2010016418.tif 000013
【図１２】
2010016418.tif 000014
【図１３】
2010016418.tif 000015
【図１４】
2010016418.tif 000016
【図１５】
2010016418.tif 000017
【図１６】
2010016418.tif 000018
【図１７】
2010016418.tif 000019
【図１８】
2010016418.tif 000020
【図１９】
2010016418.tif 000021
【図２０】
2010016418.tif 000022
【図２１】
2010016418.tif 000023
【図２２】
2010016418.tif 000024
【図２３】
2010016418.tif 000025
【図２４】
2010016418.tif 000026
【図２５】
2010016418.tif 000027